【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
２つの管端を接続するための管継手（１０；１１０；２１０；３１０；４１０；５１０）であって、
クランプバンド（２０；１２０；２２０；３２０；４２０；５２０）と、前記クランプバンドの中に少なくとも局所的に配置された少なくとも１つの内側ハウジング（４０；１４０；２４０；３４０；４４０；４４１；５４０）と、を備え、
前記クランプバンド（２０；１２０；２２０；３２０；４２０；５２０）は、長手スロット（２２；１２２；２２２）と、前記クランプバンド（２０；１２０；２２０；３２０；４２０；５２０）の内径を小さくするための締め付け機構（１２；１１２；２１２；４１２）と、を有し、
前記クランプバンド（２０；１２０；２２０；３２０；４２０；５２０）は平らな一体品として更に設計されており、かつまた、少なくとも１つの接続手段（２６；１２６；２２６；３２６；４２６；５２６）を介して接続されている、少なくとも１つの第１の外側バンド部分（２８；１２８；２２８；３２８；４２８；５２８）および少なくとも１つの第１の内側バンド部分（２５；１２５；２２５；３２５；４２５；５２５）も有し、
前記少なくとも１つの内側ハウジング（４０；１４０；２４０；３４０；４４０；４４１；５４０）を前記クランプバンド（２０；１２０；２２０；３２０；４２０；５２０）内に固止するための接続構造（３０；１３０；２３０；３３０；４３０；５３０）が提供され、前記接続構造（３０；１３０；２３０；３３０；４３０；５３０）は少なくとも１つの第１の接続部位（３２；１３２；２３２；３３２；４３２；５３２）と少なくとも１つの第２の接続部位（３４；１３４；２３４；３３４；４３４；５３４）とから成り、
前記少なくとも１つの第１の接続部位（３２；１３２；２３２；３３２；４３２；５３２）は前記少なくとも１つの第２の接続部位（３４；１３４；２３４；３３４；４３４；５３４）内へと延び、
前記接続構造（３０；１３０；２３０；３３０；４３０；５３０）の前記接続部位（３２，３４；１３２，１３４；２３２，２３４；３３２，３３４；４３２，４３４；５３２，５３４）のうちの少なくとも１つは、前記少なくとも１つの第１の外側バンド部分（２８；１２８；２２８；３２８；４２８；５２８）を前記少なくとも１つの第１の内側バンド部分（２５；１２５；２２５；３２５；４２５；５２５）と接続するための、前記少なくとも１つの接続手段（２６；１２６；２２６；３２６；４２６；５２６）として設計されていることを特徴とする管継手（１０；１１０；２１０；３１０；４１０；５１０）。
【請求項２】
請求項１に記載の管継手であって、前記接続部位（３２，３４；１３２，１３４；２３２，２３４；３３２，３３４；４３２，４３４；５３２，５３４）のうちの少なくとも１つは、凹部を有することを特徴とする管継手。
【請求項３】
請求項１または２に記載の管継手であって、前記接続部位（３２，３４；１３２，１３４；２３２，２３４；３３２，３３４；４３２，４３４；５３２，５３４）のうちの少なくとも１つは開口部として設計されていることを特徴とする管継手。
【請求項４】
請求項１から３のいずれか１項に記載の管継手であって、前記少なくとも１つの第１の接続部位（３２；１３２；２３２；３３２；４３２；５３２）は前記少なくとも１つの第２の接続部位（３４；１３４；２３４；３３４；４３４；５３４）内へと精確に係合することを特徴とする管継手。
【請求項５】
請求項３または４に記載の管継手であって、前記少なくとも１つの第１の接続部位（３２；１３２；２３２；３３２；４３２；５３２）は前記少なくとも１つの第２の接続部位（３４；１３４；２３４；３３４；４３４；５３４）を越えて延びていることを特徴とする管継手。
【請求項６】
請求項１から５のいずれか１項に記載の管継手であって、前記クランプバンド（２０；１２０；２２０；３２０；４２０；５２０）上に少なくとも１つの第１の接続部位（３２；１３２；２３２；３３２；４３２；５３２）が配置されていることと、少なくとも１つの内側ハウジング（４０；１４０；２４０；３４０；４４０；４４１；５４０）上に少なくとも１つの第２の接続部位（３４；１３４；２３４；３３４；４３４；５３４）が配置されていることと、を特徴とする管継手。
【請求項７】
請求項１から６のいずれか１項に記載の管継手であって、前記接続構造（３０；１３０；２３０；３３０；４３０；５３０）は、前記少なくとも１つの第１の外側バンド部分（２８；１２８；２２８；３２８；４２８；５２８）を前記少なくとも１つの第１の内側バンド部分（２５；１２５；２２５；３２５；４２５；５２５）と接続するための、前記少なくとも１つの接続手段（２６；１２６；２２６；３２６；４２６；５２６）を有することを特徴とする管継手。
【請求項８】
請求項１から７のいずれか１項に記載の管継手であって、前記接続構造（３０；１３０；２３０；３３０；４３０；５３０）のうちの少なくとも１つの第１の接続部位（３２；１３２；２３２；３３２；４３２；５３２）は前記クランプバンド（２０；１２０；２２０；３２０；４２０；５２０）上に形成されており、前記接続構造（３０；１３０；２３０；３３０；４３０；５３０）のうちの少なくとも１つの第２の接続部位（３４；１３４；２３４；３３４；４３４；５３４）は前記少なくとも１つの内側ハウジング（４０；１４０；２４０；３４０；４４０；４４１；５４０）上に開口部として形成されており、前記クランプバンド（２０；１２０；２２０；３２０；４２０；５２０）を前記少なくとも１つの内側ハウジング（４０；１４０；２４０；３４０；４４０；４４１；５４０）と取り外し可能に接続するための前記少なくとも１つの接続手段（２６；１２６；２２６；３２６；４２６；５２６）は、それぞれ前記開口部を通って延びていることを特徴とする管継手。
【請求項９】
請求項１から８のいずれか１項に記載の管継手であって、前記接続構造（３０；１３０；２３０；３３０；４３０；５３０）は、前記クランプバンド（２０；１２０；２２０；３２０；４２０；５２０）の前記長手スロット（２２；１２２；２２２）の反対側の領域内に配置されており、かつ／または、前記クランプバンド（２０；１２０；２２０；３２０；４２０；５２０）の２つの端部（３１，３３；４３１，４３３）は、当接部（２９；１２９；２２９；３２９；４２９；５２９）上に配置されていることを特徴とする管継手。
【請求項１０】
請求項１から９のいずれか１項に記載の管継手であって、前記接続構造（３０；１３０；２３０；３３０；４３０；５３０）は、はめ込み接続部としておよび／または摩擦接続部として設計されていることを特徴とする管継手。
【請求項１１】
請求項１から１０のいずれか１項に記載の管継手であって、前記少なくとも１つの内側ハウジング（４０；１４０；２４０；３４０；４４０；４４１；５４０）は、長手スロット（４５；１４５；２４５）および／もしくは少なくとも１つの側部フランジ（４２，４３；１４２，１４３；２４２；２４３；４４２；４４３）を有し、ならびに／または、前記少なくとも１つの内側ハウジング（４０；１４０；２４０；３４０；４４０；４４１；５４０）は、その長手軸線に沿って前記クランプバンド（２０；１２０；２２０；３２０；４２０；５２０）のクランプバンド幅（ＳＢＢ）よりも小さい内側ハウジング幅（ＩＧＢ）を有することを特徴とする管継手。
【請求項１２】
請求項３に記載の管継手であって、前記開口部は、丸い穴および／または細長い穴であることを特徴とする管継手。
【手続補正２】
【補正対象書類名】明細書
【補正対象項目名】０００１
【補正方法】変更
【補正の内容】
【０００１】
本発明は、請求項１のプリアンブルに記載の管継手に関する。
【手続補正３】
【補正対象書類名】明細書
【補正対象項目名】００５３
【補正方法】変更
【補正の内容】
【００５３】
クランプバンドは特に先立って記載される管継手において使用される場合、長手スロットを有し、このクランプバンドは平らな一体品として設計される。クランプバンドは更に少なくとも１つの第１の外側バンド部分と少なくとも１つの第１の内側バンド部分とを有し、これらは少なくとも１つの接続手段によって接続される。加えて、クランプバンドは、クランプバンド上に、クランプバンド内に少なくとも１つの内側ハウジングを固止するための、接続構造の少なくとも１つの第１の接続部位を有し、接続構造は少なくとも１つの第１の接続部位のほかに少なくとも１つの第２の接続部位を備え、接続構造の少なくとも１つの第１の接続部位は少なくとも１つの接続手段によって形成されている。この結果、特に請求項１に記載の管端を接続するための管継手において使用される場合に、必要に応じて様々な内側ハウジング設計（例えば、管状または多角形）を確保することができる。
【手続補正４】
【補正対象書類名】明細書
【補正対象項目名】００８３
【補正方法】変更
【補正の内容】
【００８３】
図１７は、別に示した接続構造３０、１３０、２３０、３３０、および４３０の代替として、既に描写した接続継手１０、１１０、２１０、３１０、および４１０のうちの１つの表面に配置できる接続構造５３０の別の実施形態を示している。接続構造５３０は、クランプバンド５２０上に開口部として設計されている第１の接続部位５３２、および内側ハウジング５４０上に同じく開口部として設計されている第２の接続部位５３４を備える。接続構造５３０は、ねじ５５０およびナット５５１としてとして設計されている接続手段５２６を更に備える。ねじ５５０はそれぞれ、接続部位５３２を通っておよび第２の接続部位５３４を通って延びる。管継手５１０の内側に面する一方のねじ端部において、ねじ５５０は停止部、特に内側ハウジング５４０に対して押圧されるねじ頭を有する。管継手５１０の外側に面するねじ端部には、ナット５５１が提供される。接続手段５２６の締め付けられた状態では、ナットが管継手５１０のクランプバンド５２０の外面に対して押圧される。この接続手段５２６によりこうして、内側ハウジング５４０をクランプバンド５２０と調整可能かつ取り外し可能に固止することが可能になる。管継手の５１０の締め付け機構を緊締している間、第１の接続部位５３２は締め付け力Ｆに曝され、この力は接続手段５２６を介して第２の接続部位５３４へと伝達され、このことにより、管継手５１０内の内側ハウジング５４０が連携して担持されることが実現される。
＜付記＞
［１］
２つの管端を接続するための管継手（１０；１１０；２１０；３１０；４１０；５１０）であって、
クランプバンド（２０；１２０；２２０；３２０；４２０；５２０）と、前記クランプバンドの中に少なくとも局所的に配置された少なくとも１つの内側ハウジング（４０；１４０；２４０；３４０；４４０；４４１；５４０）と、を備え、
前記クランプバンド（２０；１２０；２２０；３２０；４２０；５２０）は、長手スロット（２２；１２２；２２２）と、前記クランプバンド（２０；１２０；２２０；３２０；４２０；５２０）の内径を小さくするための締め付け機構（１２；１１２；２１２；４１２）と、を有し、
前記クランプバンド（２０；１２０；２２０；３２０；４２０；５２０）は平らな一体品として更に設計されており、かつまた、少なくとも１つの接続手段（２６；１２６；２２６；３２６；４２６；５２６）を介して接続されている、少なくとも１つの第１の外側バンド部分（２８；１２８；２２８；３２８；４２８；５２８）および少なくとも１つの第１の内側バンド部分（２５；１２５；２２５；３２５；４２５；５２５）も有し、
前記少なくとも１つの内側ハウジング（４０；１４０；２４０；３４０；４４０；４４１；５４０）を前記クランプバンド（２０；１２０；２２０；３２０；４２０；５２０）内に固止するための接続構造（３０；１３０；２３０；３３０；４３０；５３０）が提供され、前記接続構造（３０；１３０；２３０；３３０；４３０；５３０）は少なくとも１つの第１の接続部位（３２；１３２；２３２；３３２；４３２；５３２）と少なくとも１つの第２の接続部位（３４；１３４；２３４；３３４；４３４；５３４）とから成り、
前記少なくとも１つの第１の接続部位（３２；１３２；２３２；３３２；４３２；５３２）は前記少なくとも１つの第２の接続部位（３４；１３４；２３４；３３４；４３４；５３４）内へと延び、
前記接続構造（３０；１３０；２３０；３３０；４３０；５３０）の前記接続部位（３２，３４；１３２，１３４；２３２，２３４；３３２，３３４；４３２，４３４；５３２，５３４）のうちの少なくとも１つは、前記少なくとも１つの外側バンド部分（２８；１２８；２２８；３２８；４２８；５２８）を前記少なくとも１つの第１の内側バンド部分（２５；１２５；２２５；３２５；４２５；５２５）と接続するための、前記少なくとも１つの接続手段（２６；１２６；２２６；３２６；４２６；５２６）として設計されていることを特徴とする管継手（１０；１１０；２１０；３１０；４１０；５１０）。
［２］
上記［１］項に記載の管継手であって、前記接続部位（３２，３４；１３２，１３４；２３２，２３４；３３２，３３４；４３２，４３４；５３２，５３４）のうちの少なくとも１つは、凹部を有することを特徴とする管継手。
［３］
上記［１］項または［２］項に記載の管継手であって、前記接続部位（３２，３４；１３２，１３４；２３２，２３４；３３２，３３４；４３２，４３４；５３２，５３４）のうちの少なくとも１つは開口部として、特に丸い穴および／または細長い穴として設計されていることを特徴とする管継手。
［４］
上記［１］項から［３］項のいずれか１項に記載の管継手であって、前記少なくとも１つの第１の接続部位（３２；１３２；２３２；３３２；４３２；５３２）は前記少なくとも１つの第２の接続部位（３４；１３４；２３４；３３４；４３４；５３４）内へと精確に係合することを特徴とする管継手。
［５］
上記［３］項または［４］項に記載の管継手であって、前記少なくとも１つの第１の接続部位（３２；１３２；２３２；３３２；４３２；５３２）は前記少なくとも１つの第２の接続部位（３４；１３４；２３４；３３４；４３４；５３４）を越えて延びていることを特徴とする管継手。
［６］
上記［１］項から［５］項のいずれか１項］項に記載の管継手であって、前記クランプバンド（２０；１２０；２２０；３２０；４２０；５２０）上に少なくとも１つの第１の接続部位（３２；１３２；２３２；３３２；４３２；５３２）が配置されていることと、少なくとも１つの内側ハウジング（４０；１４０；２４０；３４０；４４０；４４１；５４０）上に少なくとも１つの第２の接続部位（３４；１３４；２３４；３３４；４３４；５３４）が配置されていることと、を特徴とする管継手。
［７］
上記［１］項から［６］項のいずれか１項に記載の管継手であって、前記接続構造（３０；１３０；２３０；３３０；４３０；５３０）は、前記少なくとも第１の外側バンド部分（２８；１２８；２２８；３２８；４２８；５２８）を前記少なくとも第１の内側バンド部分（２５；１２５；２２５；３２５；４２５；５２５）と接続するための、前記少なくとも１つの接続手段（２６；１２６；２２６；３２６；４２６；５２６）を有することを特徴とする管継手。
［８］
上記［１］項から[７］項のいずれか１項に記載の管継手であって、前記接続構造（３０；１３０；２３０；３３０；４３０；５３０）のうちの少なくとも１つの第１の接続部位（３２；１３２；２３２；３３２；４３２；５３２）は前記クランプバンド（２０；１２０；２２０；３２０；４２０；５２０）上に形成されており、前記接続構造（３０；１３０；２３０；３３０；４３０；５３０）のうちの少なくとも１つの第２の接続部位（３４；１３４；２３４；３３４；４３４；５３４）は前記少なくとも１つの内側ハウジング（４０；１４０；２４０；３４０；４４０；４４１；５４０）上に開口部として形成されており、前記クランプバンド（２０；１２０；２２０；３２０；４２０；５２０）を前記少なくとも１つの内側ハウジング（４０；１４０；２４０；３４０；４４０；４４１；５４０）と取り外し可能に接続するための前記少なくとも１つの接続手段（２６；１２６；２２６；３２６；４２６；５２６）は、前記それぞれの開口部を通って延びていることを特徴とする管継手。
［９］
上記［１］項から［８］項のいずれか項に記載の管継手であって、前記接続構造（３０；１３０；２３０；３３０；４３０；５３０）は、前記クランプバンド（２０；１２０；２２０；３２０；４２０；５２０）の前記長手スロット（２２；１２２；２２２）の反対側の領域内に配置されており、かつ／または、前記クランプバンド（２０；１２０；２２０；３２０；４２０；５２０）の２つの端部（３１，３３；４３１，４３３）は、当接部（２９；１２９；２２９；３２９；４２９；５２９）上に配置されていることを特徴とする管継手。
［１０］
上記［１］項から［９］項のいずれか１項に記載の管継手であって、前記接続構造（３０；１３０；２３０；３３０；４３０；５３０）は、はめ込み接続部としておよび／または摩擦接続部として設計されていることを特徴とする管継手。
［１１］
上記［１］項から［１０］項のいずれか１項に記載の管継手であって、前記少なくとも１つの内側ハウジング（４０；１４０；２４０；３４０；４４０；４４１；５４０）は、長手スロット（４５；１４５；２４５）および／もしくは少なくとも１つの側部フランジ（４２，４３；１４２，１４３；２４２；２４３；４４２；４４３）を有し、ならびに／または、前記少なくとも１つの内側ハウジング（４０；１４０；２４０；３４０；４４０；４４１；５４０）は、その長手軸線に沿って前記クランプバンド（２０；１２０；２２０；３２０；４２０；５２０）のクランプバンド幅（ＳＢＢ）よりも小さい内側ハウジング幅（ＩＧＢ）を有することを特徴とする管継手。
［１２］
特に上記［１］項から［１１］項のいずれか１項に記載の管継手において使用するための、クランプバンド（２０；１２０；２２０；３２０；４２０；５２０）であって、
長手スロット（２２；１２２；２２２）を備え、
前記クランプバンド（２０；１２０；２２０；３２０；４２０；５２０）は、平らな一体品として、かつまた少なくとも１つの接続手段（２６；１２６；２２６；３２６；４２６；５２６）を介して接続されている、少なくとも１つの外側バンド部分（２８；１２８；２２８；３２８；４２８；５２８）および少なくとも１つの第１の内側バンド部分（２５；１２５；２２５；３２５；４２５；５２５）として、設計されており、
少なくとも１つの内側ハウジング（４０；１４０；２４０；３４０；４４０；４４１；５４０）を前記クランプバンド（２０；１２０；２２０；３２０；４２０；５２０）内に固止するために、前記クランプバンド（２０；１２０；２２０；３２０；４２０；５２０）上に接続構造（３０；１３０；２３０；３３０；４３０；５３０）の少なくとも１つの第１の接続部位（３２；１３２；２３２；３３２；４３２；５３２）が設けられており、
前記接続構造（３０；１３０；２３０；３３０；４３０；５３０）は、前記少なくとも１つの第１の接続部位（３２；１３２；２３２；３３２；４３２；５３２）のわきに少なくとも１つの第２の接続部位（３４；１３４；２３４；３３４；４３４；５３４）を備え、
前記接続構造（３０；１３０；２３０；３３０；４３０；５３０）の前記少なくとも１つの第１の接続部位（３２；１３２；２３２；３３２；４３２；５３２）は、前記少なくとも１つの接続手段（２６；１２６；２２６；３２６；４２６；５２６）によって形成されていることを特徴とするクランプバンド（２０；１２０；２２０；３２０；４２０；５２０）。
［１３］
上記［１２］項に記載のクランプバンドであって、前記接続構造（３０；１３０；２３０；３３０；４３０；５３０）は前記少なくとも１つの接続手段（２６；１２６；２２６；３２６；４２６；５２６）を更に有し、前記少なくとも１つの第１の接続部位（３２；１３２；２３２；３３２；４３２；５３２）は好ましくは前記少なくとも１つの接続手段（２６；１２６；２２６；３２６；４２６；５２６）によって形成されていることを特徴とするクランプバンド。
［１４］
上記［１３］項に記載のクランプバンドであって、前記接続手段（２６；１２６；２２６；３２６；４２６；５２６）ははめ込み接続部および／または摩擦接続部として設計されており、前記クランプバンド（２０；１２０；２２０；３２０；４２０；５２０）の２つの端部（３１，３３；４３１，４３３）は好ましくは当接部（２９；１２９；２２９；３２９；４２９；５２９）として配置されていることを特徴とするクランプバンド。